(57)【要約】【課題】通話中であっても異なる移動通信ネットワーク間でのハンドオーバを可能にする制御方法を提供する。【解決手段】通信システムは、複数の移動通信ネットワーク間で移動通信ネットワークを選択するユーザ装置と、ユーザ装置と通信する移動通信ネットワークとを備えている。利用可能な移動通信ネットワークの識別情報のリストを記憶するユーザ装置と通信中の移動通信ネットワークが、ユーザ装置が記憶している利用可能な移動通信ネットワークの識別情報の削除に関するメッセージを送信する。ユーザ装置が、移動通信ネットワークからメッセージを受信する。【選択図】図１
2010063121.tif 000002
【特許請求の範囲】
【請求項１】
複数の移動通信ネットワーク間で移動通信ネットワークを選択するユーザ装置であって、
利用可能な移動通信ネットワークの識別情報のリストを記憶する記憶手段と、
前記記憶手段が記憶している前記利用可能な移動通信ネットワークの識別情報の削除に関するメッセージを、通信中の移動通信ネットワークから受信する受信手段と、を備えるユーザ装置。
【請求項２】
受信した前記メッセージに応じて前記記憶手段が記憶している前記識別情報を削除する削除手段をさらに備える請求項１に記載のユーザ装置。
【請求項３】
前記受信手段は、前記識別情報を、通信中の移動通信ネットワークから受信する請求項１又は２に記載のユーザ装置。
【請求項４】
ハンドオーバを行うための移動通信ネットワークを確認するために、前記受信した識別情報と前記ユーザ装置が保持するネットワークリストに含まれる第２の識別情報とを比較する比較手段を備える、請求項３に記載のユーザ装置。
【請求項５】
前記ネットワークリストは使用しない移動通信ネットワークのリストである、請求項４に記載のユーザ装置。
【請求項６】
前記識別情報が、ＧＳＭネットワークの識別情報であり、前記通信中の移動通信ネットワークがＵＭＴＳである、請求項１乃至５に記載のユーザ装置。
【請求項７】
複数の移動通信ネットワーク間で移動通信ネットワークを選択するユーザ装置と通信する移動通信ネットワークであって、
利用可能な移動通信ネットワークの識別情報のリストを記憶する通信中のユーザ装置に対して、前記ユーザ装置が記憶している前記利用可能な移動通信ネットワークの識別情報の削除に関するメッセージを送信する送信手段を備える移動通信ネットワーク。
【請求項８】
受信した前記メッセージに応じて前記ユーザ装置が記憶している前記識別情報が削除される請求項７に記載の移動通信ネットワーク。
【請求項９】
前記送信手段が、前記識別情報を前記ユーザ装置に送信する請求項７又は８に記載の移動通信ネットワーク。
【請求項１０】
前記識別情報が、ＧＳＭネットワークの識別情報であり、前記移動通信ネットワークがＵＭＴＳである、請求項７乃至９に記載の移動通信ネットワーク。
【請求項１１】
複数の移動通信ネットワーク間で移動通信ネットワークを選択するユーザ装置と前記ユーザ装置と通信する移動通信ネットワークとを備える通信システムであって、
利用可能な移動通信ネットワークの識別情報のリストを記憶する前記ユーザ装置と通信中の移動通信ネットワークが、前記ユーザ装置が記憶している前記利用可能な移動通信ネットワークの識別情報の削除に関するメッセージを送信し、
前記ユーザ装置が、前記移動通信ネットワークから前記メッセージを受信する通信システム。
【請求項１２】
前記ユーザ装置は、受信した前記メッセージに応じて前記ユーザ装置が記憶している前記識別情報を削除する請求項１１に記載の通信システム。
【請求項１３】
前記移動通信ネットワークは、前記識別情報を前記ユーザ装置に送信する請求項１１又は１２に記載の通信システム。
【請求項１４】
前記ユーザ装置が、ハンドオーバを行うための移動通信ネットワークを確認するために、前記識別情報と前記ユーザ装置が保持するネットワークリストに含まれる第２の識別情報とを比較する、請求項１３記載の通信システム。
【請求項１５】
前記ネットワークリストは使用しない移動通信ネットワークのリストである、請求項１４記載の通信システム。
【請求項１６】
前記識別情報が、ＧＳＭネットワークの識別情報であり、前記通信中の移動通信ネットワークがＵＭＴＳである、請求項１１乃至１５に記載の通信システム。
【請求項１７】
複数の移動通信ネットワーク間で移動通信ネットワークを選択するユーザ装置及び前記ユーザ装置と通信する移動通信ネットワークの制御方法であって、
利用可能な移動通信ネットワークの識別情報のリストを記憶する前記ユーザ装置と通信中の移動通信ネットワークが、前記ユーザ装置が記憶している前記利用可能な移動通信ネットワークの識別情報の削除に関するメッセージを送信し、
前記ユーザ装置が、前記移動通信ネットワークから前記メッセージを受信する制御方法。
【請求項１８】
前記ユーザ装置が、受信した前記メッセージに応じて前記記憶手段が記憶している前記識別情報を削除する請求項１７に記載の制御方法。
【請求項１９】
前記移動通信ネットワークが、前記識別情報を前記ユーザ装置に送信する請求項１７又は１８に記載の制御方法。
【請求項２０】
前記ユーザ装置が、ハンドオーバを行うための移動通信ネットワークを確認するために、前記識別情報と前記ユーザ装置が保持するネットワークリストに含まれる第２の識別情報とを比較する、請求項１９記載の制御方法。
【請求項２１】
前記ネットワークリストは使用しない移動通信ネットワークのリストである、請求項２０に記載の制御方法。
【請求項２２】
前記識別情報が、ＧＳＭネットワークの識別情報であり、前記通信中の移動通信ネットワークがＵＭＴＳである、請求項１７乃至２１に記載の制御方法。
【発明の詳細な説明】
【技術分野】
【０００１】
本発明は、移動通信ネットワーク間で呼を切り替えるハンドオーバに関するものである。本発明は、特に、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）ネットワークとＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ）ネットワーク間のハンドオーバに関するものであるが、異なるＧＳＭネットワーク間や異なるセルラ方式の移動通信ネットワーク間のハンドオーバにも適用可能である。
【背景技術】
【０００２】
現在のＧＳＭシステムでは、移動機器（ユーザ装置）がオフラインの場合には、使用する移動通信ネットワークを複数の使用可能なＧＳＭネットワークの中からユーザが手動により選択を行うことができる。さらに、ユーザ装置（通常はＳＩＭ（Ｓｕｂｓｃｒｉｂｅｒ  Ｉｄｅｎｔｉｔｙ  Ｍｏｄｕｌｅ）カード）に記憶された優先順位に基づいて、使用可能なネットワークの中から、ユーザ装置が自動的にネットワークを選択することも可能である。しかし、通話が行われている場合は、このような選択を行うことはできない。本明細書においては、ユーザ装置という用語は、ネットワークと通信できるあらゆる装置を含むものとする。このような装置は代表的には移動電話機であるが、例えば、専用のデータ、ファクシミリ、Ｅ−メールまたはビデオ通信装置またはこれらの複合装置であってもよい。
【発明の概要】
【発明が解決しようとする課題】
【０００３】
通話が行われている際には、ユーザ装置の無線資源の大半が現在の通話に使用されているため、利用可能なネットワークを広く走査することはできない。通話を行いながら移動機器がセル間で移動できるようにするためには、ネットワークは、通常同一のネットワークプロバイダにより提供されるセルのうちの隣接セルのみのリストを移動機器に提供し、移動機器が隣接するセルからの信号強度のみを探査すればいいようにする必要がある。移動機器は、別のセルからの信号のほうがより強いことを見つけた場合には、その別のセルへ切り替えのための通知を行う。
【０００４】
しかし、このような従来のハンドオーバ制御方法では、通話中には同一の移動通信ネットワーク内でのハンドオーバしか実現することができない。そのため、通話を行いながら、ユーザ装置が複数の利用可能なネットワークのうちの最適なネットワークを選択できるようにすることが望まれている。このようなことを実現することができれば、ＵＭＴＳネットワークから所定のＧＳＭネットワークへのハンドオーバ時に特に有用であると考えられるが、ユーザ装置のホームネットワーク領域外を移動している際に、選択された「ホームネットワーク以外のネットワーク」間でのハンドオーバを可能とする上で特に有用である。
【０００５】
このような問題を解決するために、現在通話中のネットワークが、その通話中のネットワークに属するセルだけでなく、他のネットワークプロバイダのセルを含んだセルのリストを提供することが考えられる。このことにより上記の問題を解決することができる。
【０００６】
しかし、この方法を実行するには、ネットワークプロバイダは、他のネットワークプロバイダのセルに関する情報を大量に提供する必要がある。そのため、この解決法では、利用可能なセルのリストが実用的に大きすぎて、ユーザ装置が現在の通話時に探査を行うことができなくなる場合があるという問題が発生する。従ってこのような解決法は、多くのネットワークプロバイダにとって望ましくないものとなり得る。
【０００７】
本発明の目的は、通話中であっても異なる移動通信ネットワーク間でのハンドオーバを可能にする制御方法を提供することである。
【課題を解決するための手段】
【０００８】
上記目的を達成するために、本発明のユーザ装置は、複数の移動通信ネットワーク間で移動通信ネットワークを選択するユーザ装置であって、
利用可能な移動通信ネットワークの識別情報のリストを記憶する記憶手段と、
前記記憶手段が記憶している前記利用可能な移動通信ネットワークの識別情報の削除に関するメッセージを、通信中の移動通信ネットワークから受信する受信手段と、を備える。
【０００９】
また、本発明の移動通信ネットワークは、複数の移動通信ネットワーク間で移動通信ネットワークを選択するユーザ装置と通信する移動通信ネットワークであって、
利用可能な移動通信ネットワークの識別情報のリストを記憶する通信中のユーザ装置に対して、前記ユーザ装置が記憶している前記利用可能な移動通信ネットワークの識別情報の削除に関するメッセージを送信する送信手段を備える。
【００１０】
また、本発明の通信システムは、複数の移動通信ネットワーク間で移動通信ネットワークを選択するユーザ装置と前記ユーザ装置と通信する移動通信ネットワークとを備える通信システムであって、
利用可能な移動通信ネットワークの識別情報のリストを記憶する前記ユーザ装置と通信中の移動通信ネットワークが、前記ユーザ装置が記憶している前記利用可能な移動通信ネットワークの識別情報の削除に関するメッセージを送信し、
前記ユーザ装置が、前記移動通信ネットワークから前記メッセージを受信する。
【００１１】
また、本発明の制御方法は、複数の移動通信ネットワーク間で移動通信ネットワークを選択するユーザ装置及び前記ユーザ装置と通信する移動通信ネットワークの制御方法であって、
利用可能な移動通信ネットワークの識別情報のリストを記憶する前記ユーザ装置と通信中の移動通信ネットワークが、前記ユーザ装置が記憶している前記利用可能な移動通信ネットワークの識別情報の削除に関するメッセージを送信し、
前記ユーザ装置が、前記移動通信ネットワークから前記メッセージを受信するものである。
【発明の効果】
【００１２】
上記で説明したように、本発明によれば、通話中であっても異なる移動通信ネットワーク間でのハンドオーバが可能となる。
【図面の簡単な説明】
【００１３】
【図１】本発明の第１の実施形態のハンドオーバ制御方法の処理の流れを示すフローチャートである。
【発明を実施するための形態】
【００１４】
以下、本発明の実施の形態について図面を参照して説明する。
【００１５】
まず、本願発明の態様および有利な特徴のいくつかを具体化するハンドオーバシステムの実際の実行における要素について一般的な用語で説明する。以下の項目は、別段の断りがない限り、異なるネットワークプロバイダに属する同様の種類のネットワーク間（例：ＧＳＭ）でのハンドオーバ、あるいは異なる種類のネットワーク間（例：ＵＭＴＳからＧＳＭ）のハンドオーバの両方に適用されるものである。実際、ある種の利用分野では、複数の種類の複数ネットワーク間で選択を行うことができる（例えば、ＧＳＭ９００、ＧＳＭ１９００、ＵＭＴＳおよびローカル範囲のネットワーク）。
【００１６】
（第１の実施形態）
先ず、本発明の第１の実施形態のハンドオーバ制御方法について説明する。
【００１７】
（１）ユーザ装置の特徴
「標準的な」ユーザ装置の特徴に加えて、相互にハンドオーバを行うネットワークとの通信のために（ＵＭＴＳからＧＳＭへのハンドオーバの場合、デュアルモード端末が必要）、ユーザ装置は理想的には、以下の構成要素を持たなければならない。
【００１８】
−ネットワーク優先順位リストのための記憶機構
これは既存の記憶機構に基づいたものとすることができ、好ましくはＳＩＭカード（本明細書においてこの用語は、標準的な送受話器を構成するのに使用される着脱式装置を含むものとする）に記憶させ、その記憶機構は通常、ホームネットワークプロバイダが少なくとも部分的に予めプログラムしている。このユーザ装置の構成は、ユーザが例えば、ネットワークを追加したり、優先順位レベルを変更することで、そのリストの少なくとも一部を編集できるようにすることができる。特に、ネットワークプロバイダがある国（外国）に２以上の提携したネットワークを有し、料金がネットワーク間で（永久的にまたは経時的に）変わる場合、ユーザ（またはネットワークプロバイダ）は優先順位リストを改訂して、より低料金のネットワークを常に優先させることができる。優先順位リストは単純に２進法とすることができ、決して使用しないネットワーク（「ブラックリスト」）には０を割り当て、可能であれば使用するネットワーク（「ホワイトリスト」）には１を割り当て、１を割り当てたネットワークがない場合には、リストアップされていないネットワークを使用する。他の方法として、複数のレベルを記憶させるようにしてもよい。このような方法により、料金に基づいた区別が実行される。複数のレベルを使用する場合、ホームネットワークには最も高い特別な優先順位を与えることができる。レベル数が２種類のみまたは少数である場合であっても、所望に応じて、ホームネットワークに特にマークを施すことができる。優先順位を記憶させることが非常に好ましい場合、ユーザは、必要に応じて別のネットワークを選択することができる。それは通常、音声呼出時には不便であるが、データ通信の利用分野では許容性が比較的高いものとなり得る。ネットワークをリストする順序は重要である場合と重要でない場合がある。それが重要である場合には、２進法システムであっても、記憶されたリスト内でのネットワークの順序を用いて優先順位を指定し、全てのホワイトリストネットワークを順序立ててランクすることができる。そうして、選択ステップにおいて、ユーザ装置が第１の利用可能なホワイトリストネットワークを見出すよう構成することができる。
【００１９】
−利用可能ネットワークを特定するメッセージの受信および内容解読のための手段
ユーザ装置は、可能なハンドオーバネットワークをリストアップする現在通信中のネットワークからの呼の最中に送られる具体的なメッセージの内容を解読することができなければならない。この手段は、呼の最中にメッセージの内容を解読するための既存の手段に基づいたものとすることができ、ネットワークにおいて定められている特定の接頭語または識別記号によってその具体的なメッセージを識別する。留意すべき点として、特にある種のネットワークが隣接するネットワークを識別する具体的なメッセージを提供するような構成となっていない場合、そのネットワークからの優先的ハンドオーバを行うことのみが可能であって、他のネットワークについてはハンドオーバを行うことができない。例えば、ＵＭＴＳもしくはＧＳＭ送受話器の場合、ＵＭＴＳネットワークが切り替え候補のＧＳＭネットワークのリストを提供するように構成することができるが、ＵＭＴＳネットワークからＧＳＭネットワークに戻そうとする場合、あるいは少なくともある種のＧＳＭネットワーク間でのハンドオーバを試みる場合、ＧＳＭネットワークを候補ネットワークリストを提供するよう設定することができないため、それは不可能になると考えられる。
【００２０】
−利用可能ネットワークリストの編集手段
好ましくは、ユーザ装置は、利用可能なネットワークのリスト全体を受信するのに加えて（またはそれに代わって）、現在の利用可能ネットワークリストに対する追加または削除を行うためのメッセージを受信しその内容を解読するようにしてもよい。このようにして、リスト全体を送信するのではなく、一連の「ＡＤＤ（追加）」メッセージによって、利用可能ネットワークのリスト全体を、ユーザ装置において構築することができる。このような方法は、選択するネットワーク数が多く、各ネットワークの利用可能性が場所によって頻繁に変わる地域で特に有効である。つまり、１つのネットワークのみが有効になったり無効になったりするような場合に、長いリストをその都度再送信するようなことを防ぐことができる。
【００２１】
−利用可能ネットワークリストを要求する手段
定期的にまたはネットワークがハンドオーバが望ましいと判定した時に（例えば、受信信号が弱くなった場合）、利用可能ネットワークに関する情報を送信するようネットワークを構成してもよい。しかし、ユーザ装置がその情報を個別に要求できるようにするのが好ましい。この方法は、ユーザ装置がハンドオーバを行う従来の方法と同様な方法により行うことができるが、ネットワークにおいて定められているメッセージ識別記号を利用可能ネットワークリストの要求を意味するものとして使用することができる。
【００２２】
−利用可能ネットワークリストと優先順位リストとを比較し、ネットワークを選択する手段
これは単に、優先順位リストで各利用可能ネットワークを検索し、優先順位が最も高いもの（または最上位数個）を選択することで行うことで実現できる。複数の利用可能ネットワークが同等の最上位優先度を有する場合、ユーザ装置はいくつかのネットワークを順次選択し、無線セル情報受信後に、信号が最も強いネットワークを選択するようにしてもよい。別の方法として、他の基準を提供するようにしてもよい。
【００２３】
−選択したネットワークの通知手段
これは単に、ネットワークにおいて定められている識別記号を有するメッセージを送信してネットワーク選択を示すことにより実現することができる。
【００２４】
その後ネットワークは、セル間ハンドオーバができるようにするために従来の方法と同様にして、選択されたネットワークに関する隣接セル情報を提供し、ユーザ装置は、そのセル情報を同様に処理して（無線周波数、時間スロットコードなど）、最も適切なハンドオーバ候補を見出す。
【００２５】
（２）ネットワークの特徴
「標準的な」ネットワークパラメータに加えて、ネットワークは以下の特徴を行うものでなければならない。
【００２６】
−利用可能な他のネットワークリストの記憶
このリストは場所ごとに変わるため、各基地局または無線アクセスポイントにおいて記憶するようにするのが便利である。このリストは、その地域および予想される範囲における他のネットワークについての情報に基づいて作成するようにしてもよい。あるいは、このリストは、例えばアクセスポイントおよび周囲のアクセスポイントに設けられた固定受信装置またはセルによりカバーされる領域全体にわたって無線範囲の走査を行うことにより得られる経験的データに基づいて生成するようにしてもよい。ネットワークでは、通常、１セルの精度以上にユーザ装置の位置を把握しないため、（ただし、ネットワーク内の他セルから三角測定を行うによって、正確な位置決定が可能である。別の方法として、セル内での大まかな方向を得ることができる）、利用可能と考えられるネットワークのリストには、セル内のいずれかの箇所で利用可能な全てのネットワークを盛り込むようにすることができる。実際には利用可能なある種のネットワークがリストから除外されると、そのネットワークへのハンドオーバは不可能となるため、リストアップする数は少なめではなく多めとすることが望ましい。しかしながら、含まれるネットワークが多すぎると、ユーザ装置には、実際には利用できない「利用可能」ネットワークを検索するよう指示が出される可能性があるため、効率が低下する。ネットワークの利用可能性に関してユーザ装置から返送される情報に基づいて、リストを動的に改訂するようにしてもよい。
【００２７】
利用可能ネットワーク毎に、対応する隣接セル情報（周波数、タイムスロットなど）を記憶するようにしなければならない。
【００２８】
ネットワークは、ユーザ装置に関して上記のメッセージを送信し、それに応答するよう構成される。そこで実際の例では、図１に示すような処理ステップおよびメッセージのやりとりが行われる。
【００２９】
先ず、ユーザ装置が、ハンドオーバが必要であると判定すると、利用可能ネットワークリストの送信を現在通信中のネットワークに対して要求する（ステップ１０１）。すると、その要求を受信したネットワークでは、利用可能ネットワークリストを検索し、ユーザ装置に送信する（ステップ１０２）。
【００３０】
ユーザ装置からの利用可能ネットワークリストを受信したユーザ装置は、その利用可能ネットワークリストと優先順位リストを比較し、ハンドオーバを行うネットワークを選択し、選択したネットワークを現在通話中のネットワークに通知する（ステップ１０３）。その通知を受信したネットワークは、選択されたネットワークに関するセル情報を検索し、ユーザ装置に送信する（ステップ１０４）。
【００３１】
そして、ネットワークからセル情報を受信したユーザ装置は、セルの利用可能性について検索し、ハンドオーバを行うセルおよびネットワークを決定し、ハンドオーバ先のネットワークへ決定したセルを通知する（ステップ１０５）。最後に、新たなネットワークへのハンドオーバが実行される（ステップ１０６）。
【００３２】
（第２の実施形態）
上記第１の実施形態では、特定の要求に応じて利用可能ネットワークの完全なリスト送信する場合について説明した。本発明の第２の実施形態では特に、利用可能ネットワークリストを順次改訂していく場合について説明するものであり、この内容は本実施形態に限定されるものではなく、（以下に説明するＵＭＴＳからＧＳＭへのハンドオーバの場合に限らず）、例えばＧＳＭからＧＳＭへのハンドオーバ等の他の場合においても適用可能である。
【００３３】
（３）ＵＭＴＳからＧＭＳへのハンドオーバへの応用
以下に、３種類の新規な通知手順を提案する。これらの手順はいずれも、デュアルモード端末とＵＴＲＡＮ（ＵＭＴＳ  Ｔｅｒｒｅｓｔｒｉａｌ  Ｒａｄｉｏ  Ａｃｃｅｓｓ  Ｎｅｔｗｏｒｋ）との間のローカル交信に基づくものであり、ＶＬＲ（ビジター位置登録）やコアネットワークは関与しない。
【００３４】
デュアルモード端末は、通話中の場合、利用可能なＧＳＭハンドオーバ候補リスト｛Ｇ１、Ｇ２、Ｇ３、・・・｝を編集する（利用可能なＧＳＭハンドオーバ候補がない場合には、何もリストアップされない）。デュアルモード端末は、いずれの時点においても、｛Ｇ１、Ｇ２、Ｇ３、…｝のうちから選択した１つのネットワークをＧｐｒｅｆとし設定している。本実施形態は、このリストを編集する通知手段を説明するものである。
【００３５】
（４）切り替え候補のＧＳＭネットワークの利用可能性についての通知
通話中のいずれの時点においても、使用中のＵＭＴＳネットワークＵは、デュアルモード端末に対して、利用可能な１以上のＧＳＭネットワークの名称｛Ｇｉ．｝を通知し、ハンドオーバができるようにする。その通知には、利用可能な各ＧＳＭネットワークに固有のネットワーク識別記号が含まれる。そのメッセージは代表的には、端末が通話状態で最初に可能な候補ＧＳＭネットワークのカバーエリアに入った時、あるいはそのカバーエリア内にあって呼を設定する場合に使用される。
【００３６】
端末はＧＳＭネットワークの名称を記憶し、それを内部に記憶された情報（例えば、ＳＩＭに記憶されたネットワーク優先順位リストおよび以前に通知された他の利用可能ＧＳＭネットワークの名称）と比較し、ハンドオーバを行うのに適したネットワークが確認できる場合には、接続中のネットワークに選択したネットワークＧｐｒｅｆを通知する。
【００３７】
その後、接続中のネットワークは、呼が終了するか、端末がそのネットワークを離れるか、あるいは端末が新たなＧｐｒｅｆを通知してくるまで、そのネットワークＧｐｒｅｆに関する隣接セル情報を端末に提供する。
【００３８】
（５）既存の切り替え候補ＧＳＭネットワークの使用不可能性についての通知
端末が通話中に、利用可能な候補ＧＳＭネットワークのカバーエリアを出る場合、使用中の無線ネットワークＵは、現在使用できないＧＳＭネットワークの名称｛Ｇｉ．｝をいかなる時点でも端末に送るようにしてもよい。その通知には、使用できなくなっているＧＳＭネットワークの固有のネットワーク識別記号が含まれている。
【００３９】
端末は、そのＧＳＭが利用できないことを示すことができ、内部に記憶されている情報（例えば、ＳＩＭに記憶されているネットワーク優先順位リストおよび以前に通知された利用可能ＧＳＭネットワークの名称）を用いて、切り替えに適したネットワークを確認できる場合には、呼を接続中のネットワークに、選択したネットワークＧｐｒｅｆを通知する。
【００４０】
その後、呼を接続中のネットワークは、呼が終了するか、端末がそのネットワークを離れるか、あるいは端末が新たなＧｐｒｅｆを通知してくるまで、そのネットワークＧｐｒｅｆに関する隣接セル情報を端末に提供する。
【００４１】
（６）端末ネットワーク優先順位
いずれの時点でも端末は、呼を接続中のネットワークに対して、利用可能ネットワークリストの中から新たに選択したネットワークＧｐｒｅｆを通知することができる。その後、接続中のネットワークは、呼が終了するか、端末がそのネットワークを離れるか、あるいは端末が新たなＧｐｒｅｆを通知してくるまで、そのネットワークＧｐｒｅｆに関する隣接セル情報を端末に提供する。
【００４２】
一般的にこの通知は、利用可能なＧＳＭネットワークリストが、選択されたネットワークを評価し直す必要があるような形で変化した場合に行われる。
【００４３】
上記の第２の実施形態では、移動機器は常時選択された他のネットワークを記憶しているため、その選択されたネットワークについての隣接セル情報で定期的に改訂される。本実施形態は、「未使用」のモードを更新された状態に維持し、必要時に直ちに変えることができるデュアルモード端末（１例としては、ＵＭＴＳからＧＳＭへのハンドオーバの場合があり、別の例としてはＧＳＭ９００からＧＳＭ１９００へのハンドオーバがある）の場合に特に有用である。
【００４４】
要約すると、上記の各種実施態様は、以下の新規な特徴を提供するものであり、これらの特徴はそれぞれ、独立に提供することができる。
−利用可能ＧＳＭ候補ネットワーク情報の通知
−端末における利用可能ネットワークリストの編集
−そのリストの内容の追加および削除の可能性
−選択したネットワークを通知する端末の能力
−特定の隣接セル情報を異なるデュアルモード端末に送って、同一エリア内の異なる端末が異なる隣接セル情報を受信できるようにする能力
【符号の説明】
【００４５】
１０１〜１０６    ステップ
【図１】
2010063121.tif 000003